(57)【要約】  【課題】  一時集積部に紙幣があるかどうかを容易に確認することができ、かつ片手のみで紙幣の抜き取りを可能にして、操作性を向上させる。【解決手段】一時集積部８の一側面に、該一側面より小さな扉２３を設けて、この扉２３の自由端と前部フレーム１５との間に開口部２５を形成すると共に、扉２３を閉じる方向に付勢し、前記開口部２５から指を差し込んで前記ステージ１９a，１９ｂ上の紙幣Pを掴んで抜き取る際、紙幣Pが扉２３に付き当たることで、扉２３が開いて紙幣Pの抜き取りができるようにした。【選択図】        図１
2005157761.tif 000002
【特許請求の範囲】
【請求項１】
搬送路から送られてくる紙幣をステージ上に放出して集積する一時集積部を有する現金処理装置において、
前記一時集積部の一側面に、該一側面より小さな扉を設けて、この扉の自由端側に開口部を形成すると共に、扉を閉じる方向に付勢し、
前記開口部から指を差し込んで前記ステージ上の紙幣を掴んで抜き取る際、紙幣が前記扉に付き当たることで、扉が開いて紙幣の抜き取りができるようにしたことを特徴とする現金処理装置。
【請求項２】
請求項１記載の現金処理装置において、
前記扉に磁石を設け、該磁石を一時集積部の一側面近傍に位置している磁性体に吸着させることで、前記ステージ上に紙幣を集積する際、その紙幣により前記扉が開かないように閉状態を保持することを特徴とする現金処理装置。
【請求項３】
請求項１記載の現金処理装置において、
前記ステージの上方側に設けられ、ガイドシャフトに沿って上下動可能とし、紙幣の集積終了後、前記ステージを下降させて開くことにより、ステージ上の紙幣を紙幣収納庫に収納する際前記ステージの下方まで下降して紙幣を紙幣収納庫に押し込む押し込み板を備え、
この押し込み板に、前記集積部の内面に接するローラと、前記扉の自由端の端面に接するローラを設けて、このローラにより前記押し込み板のガイドシャフト廻り方向の振れを規制するようにしたことを特徴とする現金処理装置。
【発明の詳細な説明】
【技術分野】
【０００１】
本発明は、銀行等の金融機関で用いられる現金処理装置に関する。
【背景技術】
【０００２】
銀行等の金融機関においては紙幣等を統合管理するために元方用の現金処理システムが導入されており、このシステムは入出金機や計数機及び施封装置等の複数の現金処理装置により構成されている。
図７はこのような紙幣処理装置の外観を示す斜視図、図８はその内部構造を示す側面図であり、ここでは現金処理装置として紙幣入出金機を例にして説明する。
【０００３】
この紙幣処理装置１は、上段ユニット２、中段ユニット３、及び下段ユニット４を備えており、各ユニット２〜４は保守や点検等の際、装置の正面側から手前に引き出せるようになっている。
上段ユニット２の正面には入金口２ａ及び出金口２ｂが設けられており、上段ユニット１の内部には入金搬送路５と、第１の鑑別部６、及び出金搬送路７が設けられている。
【０００４】
また、中段ユニット３内には入金用の紙幣を金種別に一時集積する複数の一時集積部８と、前記上段ユニット１の入金搬送路５から紙幣を受けて各一時集積部８に搬送する入金搬送路９が設けられ、更に下段ユニット４内には各一時集積部８のそれぞれの直下に配置された金種別の紙幣収納庫１０と、各紙幣収納庫１０の下部から繰り出された出金用の紙幣を前記上段ユニット２の出金用搬送路７に搬送する出金用搬送路１１と、出金用の紙幣の鑑別及び計数を行う第２の鑑別部１２が設けられている。
【０００５】
尚、一時集積部８及び紙幣収納庫１０は、ここでは千円、２千円、５千円、１万円の４金種に対応して４個ずつ設けられているが、この数に限定されるものではなく、これより多くても、また少なくてもよい。
この構成における入金処理及び出金処理は以下のように行われる。
まず、入金処理の場合、オペレータが紙幣を一括して入金口２ａにセットすると、図示しない分離手段より紙幣が１枚ずつ分離されて上段ユニット２内に取り込まれ、入金搬送路５により順次第１の鑑別部６に搬送されて、この第１の鑑別部６により金種等の鑑別と、金種毎の計数が行われる。
【０００６】
鑑別・計数後の紙幣は入金搬送路５により中段ユニット３に搬送され、この中段ユニット３の入金搬送路９により搬送されながら図示しない振り分け手段で金種別に振り分けられて各一時集積部８に集積される。
入金口２ａにセットされた紙幣がすべて各一時集積部８に集積されると、その内訳が図示しない表示部に表示され、それを見てオペレータが図示しないキーボード等の入力手段により承認を入力すると、一時集積部８に集積されている紙幣がそれぞれ紙幣収納庫１０に収納され、入金処理が終了する。
【０００７】
出金処理の場合は、オペレータが図示しない入力手段により出金を希望する金種及び金種毎の枚数を入力すると、オペレータにより入力された金種の紙幣が該当する紙幣収納庫１０から図示しない繰り出し手段により１枚ずつ繰り出されて、出金用搬送路１１により順次第２の鑑別部１２に搬送され、この第２の鑑別部１２により金種等の鑑別と、金種毎の計数が行われる。
鑑別・計数後の紙幣は出金用搬送路１１により上段ユニット２に搬送され、この上段ユニット２の出金搬送路７により出金口２ｂに搬送されて集積される。
【０００８】
そして、オペレータにより入力された金種、枚数の紙幣がすべて出金口２ｂに集積されると、この出金口２ｂに設けられているシャッターが開き、オペレータにより紙幣が取り出されることで出金処理が終了する。
図９は従来における中段ユニット３の側面図で、この図に示したように各一時集積部８の一側面には扉１３が設けられている。
【０００９】
図１０は従来の一時集積部８を示す斜視図、図１１は従来の一時集積部８を示す要部平面図である。
一時集積部８は、扉１３と、この扉１３と対向するように設けられた図示しない側部フレームと、後部フレーム１４と、この後部フレーム１４と対向するように設けられた前部フレーム１５により周囲四面が形成されており、これにより紙幣Ｐを集積するのに十分な空間を形成している。
【００１０】
ここで、扉１３は図１１に示したように一端が軸１６を介して後部フレーム１４に回転自在に取り付けられていて、軸１６に装着されたトーションスプリング１７により閉じる方向に付勢されており、そして後部フレーム１４の上端には前記入金搬送路５から搬送されてくる紙幣を一時集積部８内に導く搬送ガイド１４ａが形成されている。
後部フレーム１４と前部フレーム１５の外側には水平方向に延在する支持シャフト１８ａと１８ｂが互いに平行に設けられ、この両シャフト１８ａ，１８ｂにはステージ１９ａ，１９ｂの固定端が取り付けられている。
【００１１】
このステージ１９ａ，１９ｂは、それぞれ複数の板状あるいは桟状の部材により形成されていて、各部材は後部フレーム１４及び前部フレーム１５に設けられている垂直方向の長穴（または切り込み等）から一時集積部８内に入り込み、その自由端は互いに対向するように配置されている。
また、ステージ１９ａ，１９ｂは図示しない機構により，支持シャフト１８ａ，１８ｂと一体に、後部フレーム１４及び前部フレーム１５の長穴に沿って上下動できるようになっており、更に支持シャフト１８ａ，１８ｂは図示しないモーター等によりステージ１９ａ，１９ｂを下方に開くように回転するものとなっている。
【００１２】
このようにしたステージ１９ａ，１９ｂに対向させてその上方に押し込み板２０が設けられている。
この押し込み板２０の一端つまり図示しない側部フレーム側の端部には、筒状部２０ａが押し込み板２０の板面と直交する方向に向けて形成されていて、側部フレームの外側に設けられたガイドシャフト２１に上下動可能に嵌合されており、更に筒状部２０ａの外周にはコの字形の係合部２０ｂが形成されていて、ガイドシャフト２１と平行に配置された位置規制シャフト２２に係合している。
【００１３】
これにより押し込み板２０は前記ステージ１９ａ，１９ｂ上下動させる機構とは別に設けられている図示しない機構によりガイドシャフト２１に沿って上下動するものとなっており、その際係合部２０ｂと位置規制シャフト２２により押し込み板２０のガイドシャフト２１の廻り方向の振れが規制されるものとなっている。
尚、ガイドシャフト２１及び位置規制シャフト２２は中段ユニット３の筐体等に固定されており、また、側部フレームには押し込み板２０の上下動を妨げないように切り込み等が設けられている。
【００１４】
このような構成による一時集積部８の動作について説明する。
まず、押し込み板２０は後部フレーム１４に形成されている搬送ガイド１４ａの下端より上方の位置で待機し、ステージ１９ａ，１９ｂは搬送ガイド１４ａの下端より下方の位置で待機しているものとする。
このときのステージ１９ａ，１９ｂ及び押し込み板２０の位置はそれぞれの上下動の範囲の上端である。
【００１５】
この状態で図８に示した入金搬送路９により送られてきた紙幣Ｐは搬送ガイド１４ａによって案内され、順次一時集積部８内に放出されてステージ１９ａ，１９ｂ上に集積される。
紙幣の集積動作が終了すると、押し込み板２０が下降してステージ１９ａ，１９ｂ上に集積された紙幣Ｐを押さえ込むことにより、紙幣Ｐがステージ１９ａ，１９ｂと押し込み板２０とで挟持される。
【００１６】
この状態でステージ１９ａ，１９ｂと押し込み板２０とが下降し、そして、ステージ１９ａ，１９ｂが上下動の範囲の下端まで達すると、支持シャフト１８ａ，１８ｂが回転してステージ１９ａ，１９ｂが下方に開く。
これにより紙幣Ｐは紙幣収納庫１０内に落下して収納されるが、このとき押し込み板２０は紙幣Ｐがステージ１９ａ，１９ｂ上に残らないように引き続いて一定の位置まで下降して押し込み動作し、すべての紙幣Ｐを紙幣収納庫１０内に収納させる。
【００１７】
ところで、この種の現金処理機において、入金処理時に例えば紙幣ジャム等の障害が発生した場合、処理中の紙幣をすべて抜き取る必要がある。
この場合上段ユニット２及び中段ユニット３を装置の手前に引き出し障害を発生した紙幣を含めて紙幣の抜き取りを行うが、各一時集積部８に集積された紙幣を抜き取る場合、図１１に示したように一方の手で扉１３を開き、その開いた扉１３ａを一方の手で押さえたまま他方の手を一時集積部８に差し込んで紙幣の抜き取りを行っていた。
【発明の開示】
【発明が解決しようとする課題】
【００１８】
しかしながら、上述した従来の技術においては、障害が発生した場合、各一時集積部に設けられている扉は、各々の一時集積部の一側面全体を覆うように設けられているため、
扉を開いてみないと紙幣が集積されているのかいないのかが分からず、また紙幣を抜き取った後も扉を閉じてしまうと抜き取り忘れがあるかどうかを確認できないため、抜き取り忘れを生じやすく、その結果復旧処理に時間がかるという問題がある。
【００１９】
また、紙幣の抜き取りを両手で行わなければならないため、操作性も良くないという問題もある。
本発明は、このような問題を解決することを目的とする。
【課題を解決するための手段】
【００２０】
そのため本発明は、搬送路から送られてくる紙幣をステージ上に放出して集積する一時集積部を有する現金処理装置において、前記一時集積部の一側面に、該一側面より小さな扉を設けて、この扉の自由端側に開口部を形成すると共に、扉を閉じる方向に付勢し、前記開口部から指を差し込んで前記ステージ上の紙幣を掴んで抜き取る際、紙幣が前記扉に付き当たることで、扉が開いて紙幣の抜き取りができるようにしたことを特徴とする。
【発明の効果】
【００２１】
このようにした本発明は、一時集積部に設けた扉の自由端側に開口部を形成しているので、各一時集積部の紙幣を抜き取る必要が生じた場合、オペレータはこの開口部から一時集積部に紙幣があるかどうかを容易に確認することができるという効果が得られる。
また、各一時集積部の紙幣を抜き取る場合、開口部から片手の指を差し込み、紙幣を掴んで抜き取ることができるので、片手を使うだけで抜き取りを行うことができ、操作性が向上するという効果も得られる。
【００２２】
そして、紙幣を抜き取った後、扉が閉じてもオペレータは開口部から一時集積部に抜き取り忘れの紙幣があるかどうかを確認することができるので、抜き取り忘れを確実に防止することができ、その結果復旧処理に時間がかることがなくなるという効果も得られる。
【発明を実施するための最良の形態】
【００２３】
以下、図面を参照して本発明による紙幣処理装置の最良の形態について説明する。
図１は発明の形態を示す一時集積部の斜視図、図２は同じく一時集積部の要部平面図、図３は中段ユニットの側面図である。
この形態では、中段ユニット３の各一時集積部８に設ける扉２３を一時集積部８の一側面の大きさより小さく形成し、図２に示したように扉２３の一端を軸２４を介して後部フレーム１４に回転自在に取り付けることにより、図１及び図３に示したように扉２３の自由端と前部フレーム１５との間に手の指をある程度の余裕をもって差し込むことができる開口部２５を形成した構成としている。
【００２４】
また、軸２４に装着された付勢手段としてのトーションスプリング２６により扉２３を閉じる方向に付勢し、更に扉２３に磁石２７を取り付けて、この磁石２７が一時集積部８の一側近傍に位置するユニットフレーム（磁性体）２８に吸着するようにしている。
このトーションスプリング２６の付勢力と、磁石２７の吸着力は一時集積部８から紙幣を指で抜き取るときの抜き取り力により扉２３が開く程度の強さに設定する。
【００２５】
一方、ステージ１９ａ，１９ｂに対向するようにその上方に設けられた押し込み板２０の一端つまり図示しない側部フレーム側の端部には、筒状部２０ａを押し込み板２０の板面と直交する方向に向けて形成し、この筒状部２０ａを図示しない側部フレームの外側に設けられたガイドシャフト２１に上下動可能に嵌合しているが、従来のような係合部２０ｂは形成せず、従って位置規制シャフト２２（図１０参照）も省略した構造としている。
【００２６】
これに代えてこの発明の形態では、押し込み板２０に前部フレーム１５の内面に接触するローラ２９ａと、扉２３の自由端の端面に接触するローラ２９ｂを設けて、これらのローラ２９ａ，２９ｂにより押し込み板２０のガイドシャフト２１廻り方向の振れを規制するものとしている。
尚、このほかの構成は従来と同様であるので、同一部分には従来のものと同一の符号を付してその説明を省略する。
【００２７】
次に、上述した構成の作用について説明するが、以下の動作はすべて図示しない制御部により制御されるものとなっている。
まず、入金処理において、オペレータが図８に示した入金口２ａに紙幣Ｐを一括してセットすると、図示しない分離手段より紙幣が１枚ずつ分離されて上段ユニット２内に取り込まれ、入金搬送路５により順次第１の鑑別部６に搬送されて、この第１の鑑別部６により金種等の鑑別と、金種毎の計数が行われる。
【００２８】
鑑別・計数後の紙幣は入金搬送路５により中段ユニット３に搬送され、この中段ユニット３の入金搬送路９により搬送されながら図示しない振り分け手段で金種別に振り分けられて該当する一時集積部８に集積される。
入金口２ａにセットされた紙幣がすべて各一時集積部８に金種毎に集積されると、その内訳が図示しない表示部に表示され、それを見てオペレータが図示しないキーボード等の入力手段により承認を入力すると、各一時集積部８に集積されている紙幣がそれぞれ紙幣収納庫１０に収納され、入金処理が終了する。
【００２９】
次に、このような入金処理時における一時集積部８の動作について図４及び図５を用いて説明する。
図４は一時集積部８の集積時の状態を示す側面図、図５は紙幣押し込み時の状態を示す側面図である。
紙幣集積時には、図４に示したように押し込み板２０が後部フレーム１４に形成されている搬送ガイド１４ａの下端より上方の位置で待機し、ステージ１９ａ，１９ｂは搬送ガイド１４ａの下端より下方の位置で待機する。
【００３０】
このときのステージ１９ａ，１９ｂ及び押し込み板２０の位置はそれぞれの上下動の範囲の上端である。
この状態で図２に示した入金搬送路９により送られてきた紙幣Ｐは搬送ガイド１４ａにより案内されて矢印Ａ方向に進み、順次一時集積部８内に放出されてステージ１９ａ，１９ｂ上に集積される。
【００３１】
このとき一時集積部８の扉２３に設けれている磁石２７がユニットフレーム２８に吸着していることで、一時集積部８内に放出され紙幣Ｐにより扉２３が開かないように扉２３の閉状態が保持され、これにより一時集積部８からの紙幣Ｐの飛び出しが防止される。
紙幣Ｐの集積動作が終了すると、図５に示したように押し込み板２０が下降してステージ１９ａ，１９ｂ上に集積された紙幣Ｐを押さえ込むことにより、紙幣Ｐがステージ１９ａ，１９ｂと押し込み板２０とで挟持される。
【００３２】
この状態でステージ１９ａ，１９ｂと押し込み板２０とが下降し、そして、ステージ１９ａ，１９ｂが上下動の範囲の下端まで達すると、支持シャフト１８ａ，１８ｂが回転してステージ１９ａ，１９ｂが図５に示した矢印Ｂ，Ｃで示したように下方に開く。
これにより紙幣Ｐは紙幣収納庫１０内に落下して収納されるが、このとき押し込み板２０は紙幣Ｐがステージ１９ａ，１９ｂ上に残らないように、引き続きステージ１９ａ，１９ｂより下方の位置まで下降して押し込み動作し、すべての紙幣Ｐを紙幣収納庫１０内に収納させる。
【００３３】
次に入金処理時に例えば紙幣ジャム等の障害が発生した場合の紙幣の抜き取り処理について説明する。
この場合従来と同様に図２に示した上段ユニット２及び中段ユニット３を装置の手前に引き出し障害を発生した紙幣を含めて紙幣の抜き取りを行うが、各一時集積部８に集積された紙幣を抜き取る場合、以下のように行う。
【００３４】
図６は紙幣抜き取り時の一時集積部８の要部平面図である。
本形態においては一時集積部８から紙幣を抜き取る場合、扉２３の自由端と前部フレーム１５との間に開口部２５を形成しているので、オペレータはこの開口部２５から一時集積部８に紙幣Ｐがあるかどうかを確認する。
そして紙幣がある場合、オペレータは開口部２５から片手の数本の指を一時集積部８に差し込み、ステージ９ａ，９ｂ上の紙幣Ｐを指で掴んで図６に示した矢印Ｄ方向に抜き取ってゆくと、その紙幣Ｐの一側端が扉２３に突き当たって抜き取り力が扉２３に加わる。
【００３５】
そして、この扉２３に設けられている磁石２７のユニットフレーム２８に対する吸着力及び扉２３を閉じる方向に付勢しているトーションスプリング２６の付勢力より抜き取り力が大きくなると、磁石２７がユニットフレーム２８から離れ、扉２３は軸２４を支点として矢印Ｅ方向に回転する。
これにより扉２３は開くので一時集積部８から紙幣Ｐを片手で抜き取ることができる。
【００３６】
紙幣Ｐを抜き取るとトーションスプリング２６の付勢力より扉２３は矢印Ｆ方向に回転して閉じ、磁石２７がユニットフレーム２８に吸着するが、このときオペレータは開口部２５から一時集積部８に抜き取り忘れの紙幣Ｐがあるかどうかを確認することができる。
尚、出金処理については従来と同様であるので、その説明を省略する。
以上説明したように、本発明の形態によれば、一時集積部８に設けた扉２３の自由端と前部フレーム１５との間に開口部２５を形成しているので、各一時集積部８の紙幣を抜き取る必要が生じた場合、オペレータはこの開口部２５から一時集積部８に紙幣Ｐがあるかどうかを容易に確認することができるという効果が得られる。
【００３７】
また、各一時集積部８の紙幣Ｐを抜き取る場合、開口部２５から片手の指を差し込み、紙幣Ｐを掴んで抜き取ることができるので、片手を使うだけで抜き取りを行うことができ、操作性が向上するという効果も得られる。
そして、紙幣Ｐを抜き取った後、扉２３が閉じてもオペレータは開口部２５から一時集積部８に抜き取り忘れの紙幣Ｐがあるかどうかを確認することができるので、抜き取り忘れを確実に防止することができ、その結果復旧処理に時間がかることがなくなるという効果も得られる。
【００３８】
更に、押し込み板２０に前部フレーム１５の内面に接触するローラ２９ａと、扉２３の自由端の端面に接触するローラ２９ｂを設けて、これらのローラ２９ａ，２９ｂにより押し込み板２０のガイドシャフト２１廻り方向の振れを規制するものとしているため、従来のような筒状部２０ａに形成した係合部２０ｂを位置規制シャフト２２に係合させる構造に比べて、強度や精度を配慮する必要がなく、小型軽量化及び低コスト化を実現できるという効果も得られる。
【００３９】
尚、上述した発明の形態では、紙幣処理機として入出金機を例にして説明したが、一定枚数の紙幣を一時集積する集積部を持つ紙幣計数装置や一定枚数の紙幣の束を作るために紙幣を一時集積する集積部を持つ施封装置等にも適用可能である。
【図面の簡単な説明】
【００４０】
【図１】発明の形態を示す一時集積部の斜視図
【図２】発明の形態を示す一時集積部の要部平面図
【図３】発明の形態における中段ユニットの側面図
【図４】発明の形態における紙幣集積時の状態を示す側面図
【図５】発明の形態における紙幣押し込み時の状態を示す側面図
【図６】発明の形態における紙幣抜き取り時の状態を示す要部平面図
【図７】現金処理装置の外観を示す斜視図
【図８】現金処理装置の内部構造を示す側面図
【図９】従来の中段ユニットの側面図
【図１０】従来の一時集積部を示す斜視図
【図１１】従来における一時集積部の要部平面図
【符号の説明】
【００４１】
８  一時集積部
１４  後部フレーム
１４ａ  搬送ガイド
１５  前部フレーム
２０  押し込み板
２０ａ  筒状部
２１  ガイドシャフト
２３  扉
２４  軸
２５  開口部
２６  トーションスプリング
２７  磁石
２８  ユニットフレーム
２９ａ，２９ｂ  ローラ
【図１】
2005157761.tif 000003
【図２】
2005157761.tif 000004
【図３】
2005157761.tif 000005
【図４】
2005157761.tif 000006
【図５】
2005157761.tif 000007
【図６】
2005157761.tif 000008
【図７】
2005157761.tif 000009
【図８】
2005157761.tif 000010
【図９】
2005157761.tif 000011
【図１０】
2005157761.tif 000012
【図１１】
2005157761.tif 000013